(57)【要約】【目的】作業環境の空気中に含まれるダイオキシン類などの有機汚染物質の採取および抽出を容易化する。【構成】採取器２は、空気の流入口２６と排出口２７とを有する容器２０と、容器２０を加熱するための電熱ヒーター２８と、容器２０の流入口２６側に配置された、空気中の塵埃を採取可能な第一フイルター２１と、容器２０の排出口２７側に収容された第二フイルター２２とを備えている。第二フイルター２２は、繊維材料と、繊維材料同士を結合するための無機系結合材とを含む通気性の成形体からなる。容器２０の排出口２７側を減圧すると、作業環境の空気は、流入口２６側から容器２０内へ流入する。容器２０内へ流入する空気に含まれる有機汚染物質は、第一フイルター２１および第二フイルター２２により採取される。両フイルター２１，２２により採取された有機汚染物質は、通常、溶媒を用いた抽出操作により抽出することができる。【選択図】        図２
2005265415.tif 000002
【特許請求の範囲】
【請求項１】
作業環境の空気中に含まれる有機汚染物質を採取するための採取器であって、
前記空気の流入部と排出部とを有する容器と、
前記容器を加熱するための加熱装置と、
前記容器の前記流入部側に配置された、前記空気中の塵埃を採取可能な第一フイルターと、
前記容器の前記排出部側に収容された第二フイルターとを備え、
前記第二フイルターは、無機繊維材料と、前記無機繊維材料同士を結合するための無機系結合材とを含む通気性の成形体からなる、
有機汚染物質の採取器。
【発明の詳細な説明】
【技術分野】
【０００１】
本発明は、有機汚染物質の採取器、特に、作業空間中の空気に含まれる有機汚染物質を採取するための採取器に関する。
【背景技術】
【０００２】
一般家庭ゴミや産業廃棄物等の廃棄物焼却施設内における清掃作業や廃棄物焼却炉の解体作業においては、作業環境において、作業者がダイオキシン類等の有機汚染物質に曝される危険性がある。このため、作業者の健康被害を防止する観点から、非特許文献１は、これらの作業環境の空気中に含まれる有機汚染物質を測定し、作業者の有機汚染物質曝露状況を監視することを義務付けている。
【０００３】
これに関連し、非特許文献２および３は、作業環境などの空気中に含まれるダイオキシン類の採取方法および分析方法をマニュアル化している。非特許文献２および３に記載されているダイオキシン類の採取方法は、塵埃捕集ろ紙とポリウレタンフォームとを直列に配置した試料採取装置を用いている。この試料採取装置は、ポリウレタンフォーム側を吸引ポンプにより減圧すると、塵埃捕集ろ紙側から空気を吸引することができる。吸引された空気は、塵埃捕集ろ紙およびポリウレタンフォームをこの順に通過する。この際、空気中に浮遊している塵埃に付着したダイオキシン類、すなわち粒子状態のダイオキシン類は、塵埃と共に塵埃捕集ろ紙により捕捉されて採取される。一方、空気中にガス状態で含まれているダイオキシン類は、塵埃捕集ろ紙を通過するが、ポリウレタンフォームにより捕捉されて採取される。したがって、当該試料採取装置を用いて作業環境の一定量の空気を吸引し、その後、塵埃捕集ろ紙およびポリウレタンフォームによりそれぞれ採取されたダイオキシン類を抽出して分析すると、吸引した一定量の空気中に含まれるダイオキシン類の濃度を測定することができ、これに基づいて作業者のダイオキシン類曝露状況を管理することができる。
【０００４】
非特許文献２および３に記載の試料採取装置において用いられるポリウレタンフォームは、ダイオキシン類により汚染されていると分析結果の信頼性を損なうことになるため、試料採取装置に装填する前に、予め清浄化処理（ダイオキシン類フリー化処理）する必要がある。しかし、有機物であるポリウレタンフォームは、加熱による清浄化ができないため、通常はソックスレー抽出法や超音波抽出法等、大量の溶媒を用いた煩雑な方法により清浄化する必要がある。また、ポリウレンタンフォームは嵩高いため、これを用いた試料採取装置は大型化し、取扱いが容易ではない。さらに、ポリウレタンフォームにより採取されたダイオキシン類を抽出するためには、大量の溶媒を用いた煩雑な操作が必要になる。
【０００５】
このため、非特許文献２および３に記載の方法は、ダイオキシン類の採取から抽出に至る一連の作業が煩雑であって長時間を要するため、ダイオキシン類測定の頻度を高めるのが困難であり、作業環境の汚染状況を継続的に細かく監視する上で不都合がある。例えば、廃棄物焼却施設の清掃作業環境におけるダイオキシン類測定は、数ヶ月から半年に一度程度実施できる程度であり、また、廃棄物焼却炉の解体作業環境における測定は、解体作業開始前に一度および解体作業中に一度実施できる程度である。
【０００６】
【非特許文献１】「労働安全衛生規則」（昭和４７年９月３０日  労働省令第３２号）
【非特許文献２】環境省環境管理局  総務課ダイオキシン対策室  大気環境課  「ダイオキシン類に係る大気環境調査マニュアル」（平成１３年８月）
【非特許文献３】厚生労働省労働基準局「廃棄物焼却施設内作業におけるダイオキシン類ばく露防止対策要綱」（平成１３年４月２５日）
【０００７】
本発明の目的は、作業環境の空気中に含まれるダイオキシン類などの有機汚染物質の採取および抽出を容易化することにある。
【０００８】
本出願において、「ダイオキシン類」という用語は、平成１１年法律第１０５号「ダイオキシン類対策特別措置法」第２条の規定に倣い、ポリ塩化ジベンゾ−パラ−ジオキシン（ＰＣＤＤｓ）およびポリ塩化ジベンゾフラン（ＰＣＤＦｓ）に加え、コプラナーポリ塩化ビフェニル（Ｃｏ−ＰＣＢｓ）をも含む意味として用いる。
【発明の開示】
【課題を解決するための手段】
【０００９】
本発明に係る有機汚染物質の採取器は、作業環境の空気中に含まれる有機汚染物質を採取するためのものであり、空気の流入部と排出部とを有する容器と、容器を加熱するための加熱装置と、容器の流入部側に配置された、空気中の塵埃を採取可能な第一フイルターと、容器の排出部側に収容された第二フイルターとを備え、第二フイルターは、無機繊維材料と、無機繊維材料同士を結合するための無機系結合材とを含む通気性の成形体からなる。
【００１０】
この採取器において、容器の排出部側を減圧すると、作業環境の空気は、流入部側から容器内へ流入する。容器内へ流入する空気は、第一フイルターおよび第二フイルターをこの順に通過し、排出部から排出される。この際、空気中に含まれる塵埃および塵埃に付着した有機汚染物質、すなわち、粒子状態の有機汚染物質は、主に、第一フイルターにより捕捉され、採取される。また、空気中に含まれるガス状態の有機汚染物質は、第二フイルターにより捕捉され、採取される。ここで、加熱装置により容器を加熱すると、容器内での結露が防止されるため、空気中に含まれるガス状態の有機汚染物質は第二フイルターにより実質的に漏れなく採取され得る。また、第一フイルターおよび第二フイルターにより採取された有機汚染物質は、通常、溶媒を用いた抽出操作により抽出することができる。
【００１１】
この採取器に用いられる第二フイルターは、基本的に無機物からなるため、使用前の清浄化処理が不要であり、そのまま用いることができる。また、この第二フイルターは、従来のポリウレタンフォームよりも嵩を抑制しやすいため、採取器を取り扱いが容易な小型に形成することができ、採取した有機汚染物質を少量の溶媒で容易に抽出することができる。
【発明の効果】
【００１２】
本発明に係る有機汚染物質の採取器は、上述のように構成されているため、作業環境の空気中に含まれるダイオキシン類などの有機汚染物質の採取および抽出を容易化することができる。
【発明を実施するための最良の形態】
【００１３】
図１を参照して、本発明に係る有機汚染物質の採取器の一形態を用いた有機汚染物質の採取装置の一例を説明する。図において、採取装置１は、有機汚染物質の採取器２と、吸引装置３とを主に備えている。
【００１４】
採取器２は、図２に示す様に、容器２０、第一フイルター２１および第二フイルター２２を主に備えている。容器２０は、有機溶媒による変性を受けにくいガラスや金属等の材料からなる部材であり、漏斗形状の第一室２３と円筒形状の第二室２４とが一体に形成されている。容器２０の第一室２３側の端部には、容器２０の軸方向と直交して外側へ突出するフランジ２５が形成されている。また、容器２０は、第一室２３側に空気の流入口２６（流入部の一例）を有し、その第二室２４側に空気の排出口２７（排出部の一例）を有している。
【００１５】
さらに、容器２０の第二室２４の外周には、容器２０を加熱するための電熱ヒーター２８（加熱装置の一例）が設けられている。電熱ヒーター２８は、図示しない電源に連絡している。
【００１６】
第一フイルター２１は、通気性を有し、かつ、空気中に含まれる煤塵や粉塵などの塵埃を捕捉可能なものであり、例えば、市販の円形または角形のシート状ろ紙である。これらのろ紙は、石英繊維製やガラス繊維製、あるいはフッ素樹脂製のものが好ましい。第一フイルター２１は、容器２０の流入口２６側において、容器２０と円筒形状の集気具２９との間に配置されている。この集気具２９は、一端側に軸方向と直交して外側に突出するフランジ３０が形成されている。第一フイルター２１は、その周縁部が容器２０のフランジ２５および集気具２９のフランジ３０とで挟み込まれた状態で固定される。ここで、第一フイルター２１の周縁部とフランジ２５の間および第一フイルター２１の周縁部とフランジ３０の間には、パッキン（図示せず）が配置されており、それぞれの隙間が気密に維持されている。
【００１７】
第二フイルター２２は、一端が閉鎖されかつ他端に空気を導入するための開口部３１を有する円筒状の多孔質の成形体、すなわち通気性を有する円筒状フイルターであり、開口部３１が第一室２３へ向かって開口するよう、第二室２４内に配置されている。ここで、第二フイルター２２の開口部３１側端部と第二室２４の内周面との間には、パッキン（図示せず）が配置されており、両者の隙間が気密に維持されている。
【００１８】
第二フイルター２２は、その大きさが特に限定されるものではないが、通常は長さ５０〜１５０ｍｍ、開口部３１側の端部の外径１２〜３５ｍｍ、閉鎖端側の外径１０〜３０ｍｍ、円筒部および閉鎖端の厚さ１〜１０ｍｍに設定されており、閉鎖端側の外径が開口部３１側の端部の外径よりも小さく設定されたテーパー形状に形成されている。第二フイルター２２の詳細についてはさらに後述する。
【００１９】
採取器２は、第二フイルター２２が上述のような小型に形成されている結果、後述する作業環境においての携帯が可能な程度の小型に構成することができる。
【００２０】
吸引装置３は、採取器２に空気を通過させるためのものであり、採取器２の排出口２７に着脱可能に連結された吸引経路４０を有している。この吸引経路４０は、採取器２側から順に制御弁４１、ポンプ４２および流量計４３を有している。
【００２１】
第二フイルター２２は、通気性を有する三次元網目構造の成形体からなる。第二フイルター２２を構成する成形体は、繊維材料（繊維材料の群）と無機系結合材とを含んでいる。ここで用いられる繊維材料は、ダイオキシン類およびその前駆体並びに有機臭素化合物等の各種の有機汚染物質と実質的に化学反応しないものであり、例えば、ガラス繊維、アルミナ繊維（特に、活性アルミナ繊維）およびシリカ繊維などの無機繊維材料である。これらの繊維材料は、それぞれ単独で用いられてもよいし、二種以上のものが併用されてもよい。
【００２２】
繊維材料の繊維径および比表面積は特に限定されるものではないが、繊維材料の平均アスペクト比（長さ／直径）は、１０，０００以下、特に、１，０００〜１０，０００が好ましい。繊維材料の平均アスペクト比が１０，０００を超える場合は、空気の通過時の圧損が増大し、空気の吸引操作が困難になるおそれがある。
【００２３】
一方、この成形体に含まれる無機系結合材は、繊維材料同士を結合して繊維材料からなる群を一体化し、繊維材料からなる群に一定の成形形状を付与する性質を有するもの、すなわち、繊維材料からなる群を一定の成形形状に保持するバインダーとして機能するものである。この実施の形態においてより具体的には、繊維材料からなる群を、第二フイルター２２の形状、すなわち一端が閉鎖された円筒状に設定するためのものである。
【００２４】
ここで利用可能な無機系結合材は、上述の性能を有し、しかも繊維材料と同様に有機汚染物質と実質的に化学反応しないものであれば特に限定されるものではないが、吸着性能、特に有機汚染物質に対する吸着性能を有するものが好ましい。このような吸着性能を有する無機系結合材としては、例えば、アルミナ（特に、活性アルミナ）、ゼオライト、二酸化ケイ素（シリカ）、酸性白土およびアパタイトなどを挙げることができる。これらの無機系結合材は、それぞれ単独で用いられてもよいし、二種以上のものが併用されてもよい。また、無機系結合材は、形態が特に限定されるものではないが、通常は粒子状のものが用いられる。
【００２５】
ここで、ゼオライトは、一般式ＸｍＹｎＯ２ｎ・ｓＨ２Ｏで示される含水アルミノケイ酸塩であり、一般式中、ＸはＮａ、ＣａまたはＫ等を、ＹはＳｉ＋Ａｌをそれぞれ示しており、また、ｓは不定である。このようなゼオライトとしては、合成ゼオライトを用いるのが好ましい。
【００２６】
上述のような無機系結合材は、タールの吸着性を有するものを用いるのが特に好ましい。このような特徴を有する無機系結合材を用いた場合、第二フイルター２２は、例えば空気中に含まれる一酸化炭素に由来して生成するタール（詳細は後述）を効果的に吸着することができ、そのようなタール中に溶け込んだ有機汚染物質をもより確実に捕捉して採取することができる。タールを吸着可能な無機系結合材としては、アルミナ、ゼオライトおよび二酸化ケイ素を例示することができる。アルミナとしては、活性アルミナを用いるのが特に好ましい。これらのタールを吸着可能な無機系結合材は、それぞれ単独で用いられてもよいし、二種以上のものが併用されてもよい。
【００２７】
上述のような繊維材料と無機系結合材とを含む成形体は、嵩密度が０．１〜１ｇ／ｃｍ３に設定されているのが好ましく、０．３〜０．７ｇ／ｃｍ３に設定されているのがより好ましい。成形体の嵩密度が０．１ｇ／ｃｍ３未満の場合は、空気中に含まれる有機汚染物質の一部が第二フイルター２２を通過してしまう場合があり、空気中に含まれる有機汚染物質を実質的に漏れなく採取するのが困難になる場合がある。逆に、嵩密度が１ｇ／ｃｍ３を超える場合は、第二フイルター２２において圧損が高まるおそれがあり、その結果、空気の吸引操作が困難になるおそれがある。また、第二フイルター２２により採取された有機汚染物質を抽出するための後述する抽出操作において、抽出率の低下を招くおそれがある。
【００２８】
また、第二フイルター２２は、上述の成形体に保持された疎水性材料をさらに有するものが好ましい。このような第二フイルター２２は、空気中の水分量が多い場合であっても、空気中に含まれる有機汚染物質を効果的に捕捉して採取することができる。ここで用いられる疎水性材料は、有機汚染物質と実質的に化学反応しないものであり、しかも、上述の繊維材料および無機系結合材よりも疎水性の高いものであれば特に限定されるものではないが、吸着性能、特に有機汚染物質に対する吸着性能を有するものが好ましい。このような吸着性能を有する疎水性材料としては、例えば、活性炭、グラファイトおよびスチレン−ジビニルベンゼン共重合体（例えば、米国のスペルコ社の商品名“アンバーライトＸＡＤ−２”）からなる群から選択された少なくとも一種のものが好ましい。また、疎水性材料として、アルキルシリル基を有する材料、例えば、炭素数が８〜１８個のアルキルシリル基を有する材料を用いることもできる。さらに、疎水性材料は、形態が特に限定されるものではないが、通常は粉末状や粒子状のものが用いられる。
【００２９】
上述の疎水性材料は、通常、上述の成形体の０．０１〜１０．０重量％、好ましくは０．０５〜５．０重量％保持されているのが好ましい。疎水性材料の量が０．０１重量％未満の場合は、空気中の水分量が高い場合において、当該空気中に含まれる有機汚染物質を第二フイルター２２により実質的に漏れなく採取するのが困難になる可能性がある。逆に、疎水性材料の量が１０．０重量％を超える場合は、第二フイルター２２において圧損が高まるおそれがあり、その結果、空気の吸引操作が困難になるおそれがある。また、第二フイルター２２により採取された有機汚染物質を抽出するための後述する抽出操作において、抽出が困難になり、抽出率の低下を招くおそれがある。
【００３０】
因みに、第二フイルター２２として好ましいものは、繊維材料として活性アルミナ繊維を用い、また、無機系結合材として粒子状の活性アルミナを用いて形成した成形体に対し、疎水性材料として粉末状活性炭を保持させたものである。特に、成形体として、嵩密度が０．３〜０．７ｇ／ｃｍ３の範囲のものを用いたものが最も好ましい。
【００３１】
上述のような第二フイルター２２は、通常、次のようにして製造することができる。先ず、上述の繊維材料と無機系結合材とを含む成形材料を調製する。ここでは、無機系結合材を水中に分散した分散液を調製し、この分散液中に繊維材料を加えて無機系結合材と繊維材料とを均一に混合する。この際、繊維材料と無機系結合材との混合割合は、目的とする成形体の嵩密度が上述の範囲になるよう適宜調整するのが好ましい。
【００３２】
次に、得られた成形材料を所定の形状、すなわち、一端が閉鎖された円筒状に成形し、成形物を得る。ここでの成形方法としては、周知の各種の成形方法、例えば湿式金型成形法などを採用することができる。そして、得られた成形物を熱処理して焼結すると、目的とする成形体が得られる。焼結時の温度は、特に限定されるものではないが、繊維材料および無機系結合材の一方または両方としてアルミナを用いる場合は、当該アルミナを活性化して活性アルミナ化することができる温度範囲、具体的には１５０〜７００℃に設定するのが好ましい。
【００３３】
上述のようにして製造される成形体は、さらに、無機系結合材を水中に分散した水系分散液中に浸漬し、その後乾燥処理されてもよい。成形体に対してこのような処理を施すと、成形体中に無機系結合材が含浸され、無機系結合材をより多く含む成形体を製造することができる。また、このような処理により、成形体の嵩密度を上述の好ましい範囲に調整することもできる。このような成形体は、結果的に無機系結合材を多く含むことになるため、無機系結合材として上述のタール吸着能を有するものを用いた場合、空気中に後述する炭化水素類や一酸化炭素が多く含まれる場合であっても、空気中に含まれる有機汚染物質をより効果的に漏れなく捕捉することができる。成形体の乾燥方法は、特に限定されるものではないが、通常、成形体を１５０〜７００℃程度で加熱処理して水分を除去する方法を採用するのが好ましい。
【００３４】
第二フイルター２２が疎水性材料を保持した成形体からなるものである場合、当該第二フイルター２２は、上述の工程により得られた成形体に対し、疎水性材料を保持させると製造することができる。成形体に対して疎水性材料を保持させるための方法は、特に限定されるものではないが、例えば、上述の容器２０を用いて疎水性材料を保持させる方法がある。この方法では、上述の工程で得られた成形体を容器２０の第二室２４内に収容し、排出口２７に上述のような吸引装置３を接続する。そして、吸引装置３を作動させ、流入口２６から容器２０内へ空気を吸引する。この際、吸引される空気中に疎水性材料を供給すると、当該疎水性材料は、成形体方向へ吸引され、成形体の主として内周面側から厚さ方向に保持される。ここで、吸引される空気中に供給する疎水性材料の量は、成形体に対する割合が上述の範囲になるよう設定するのが好ましい。
【００３５】
なお、上述の第二フイルター２２は、ＷＯ０１／９１８８３公報およびＷＯ２００４／０１０１１０公報において既に知られたものであり、また、本出願人会社から「ダイオアナ（登録商標）」の商品名で市販されている。
【００３６】
次に、上述の採取装置１を用いた、作業環境の空気中に含まれる有機汚染物質を採取するための方法を説明する。ここで、採取装置１により採取可能な有機汚染物質は、動植物に悪影響を与える可能性のある物質であれば特に限定されるものではなく、例えば、人の健康の保護及び環境の保全を図ることを目的としたストックホルム条約（ＰＯＰｓ条約）において、国際的協調による廃絶、削減の対象になっている残留性有機汚染物質（ＰＯＰｓ：Persistent Organic Pollutants）である。具体的には、ポリ塩化ジベンゾ−パラ−ジオキシン（ＰＣＤＤｓ）、ポリ塩化ジベンゾフラン（ＰＣＤＦｓ）およびコプラナーポリ塩化ビフェニル（Ｃｏ−ＰＣＢｓ）等のダイオキシン類、Ｃｏ−ＰＣＢｓ以外のポリ塩化ビフェニル類（ＰＣＢｓ）、ジクロロジフェニルトリクロロエタン（ＤＤＴ）、アルドリン、エンドリン、クロルデン、ヘプタクロル、マイレックス、トキサフェン並びにヘキサクロロベンゼン等の有機塩素化合物のような環境中で自然分解されにくく、所謂環境ホルモンとしての作用を示す可能性がある各種の有機物質の全体である。また、家具用や建築材料用の合成繊維をはじめとする各種の樹脂製品において用いられる、デカブロモジフェニルオキシドやテトラブロモ無水フタル酸などの有機臭素化合物系難燃剤なども、採取装置１により採取可能な有機汚染物質である。
【００３７】
採取装置１を使用可能な作業環境は、上述のような有機汚染物質を含む可能性がある作業環境であれば特に限定されるものではなく、例えば、廃棄物焼却施設の運転作業環境、焼却炉の解体作業環境、有機汚染物質を取り扱う化学実験室等における作業環境、化学工場をはじめとする各種の工場での作業環境および建築作業環境などである。
【００３８】
作業環境中に含まれる有機汚染物質を採取する場合は、採取器２に対して吸引装置３を接続し、採取装置１を組み立てる。この際、採取器２において用いられる第一フイルター２１および第二フイルター２２は、第一フイルター２１にフッ素樹脂製のものを用いる場合を除いて基本的に無機物からなるため、従来の試料採取装置において用いられているポリウレタンフォームのような清浄化処理を施す必要がなく、そのまま即座に使用することができる。また、採取装置１は、採取器２が小型に構成されているため、取扱いが容易であり、後述する作業を容易に実施することができる。
【００３９】
次に、採取器２において、電熱ヒーター２８を作動させて容器２０を加熱し、また、ポンプ４２を作動させて制御弁４１の開度を調節する。制御弁４１の開度は、通常、流量計４３に表示された流量を監視しながら、例えば、上述の「ダイオキシン類に係る大気環境調査マニュアル」（非特許文献２）において示されている流量が達成できるように設定する。これにより、作業環境の空気は、図２に矢印で示すように、集気具２９を通じて第一フイルター２１へ吸引される。第一フイルター２１へ吸引された空気は、第一フイルター２１を通過し、続いて第二フイルター２２へ流れる。第二フイルター２２へ流れた空気は、開口部３１から第二フイルター２２内へ流れて第二フイルター２２を通過し、吸引経路４０へ流れる。吸引経路４０へ流れた空気は、流量計４３を通じて排出される。
【００４０】
この際、吸引された空気中に含まれる塵埃および当該塵埃に付着した有機汚染物質、すなわち、粒子状態の有機汚染物質は、第一フイルター２１により捕捉され、採取される。また、空気中に含まれるガス状態の有機汚染物質は、第一フイルター２１を通過するが、第二フイルター２２に吸着し、採取される。したがって、吸引された空気中に含まれる粒子状態およびガス状態の両形態の有機汚染物質は、第一フイルター２１および第二フイルター２２により、実質的に漏れなく採取され、当該空気中から除去される。
【００４１】
ここで、空気中に未燃分の炭化水素類や一酸化炭素（ＣＯ）等の炭素化合物が多く含まれる場合、当該空気は、当該炭素化合物に由来するタールを含む場合がある。そして、このタールは、有機汚染物質を溶解して内部に取り込む場合が多い。しかし、第二フイルター２２は、このようなタールも捕捉することができ、当該タールに含まれる有機汚染物質を実質的に漏れなく採取することができる。
【００４２】
また、吸引された空気中の水分は、容器２０の第二室２４の部分が電熱ヒーター２８により加熱されているため、第二室２４内において結露しにくい。このため、当該水分は、第二フイルター２２における有機汚染物質の採取を阻害しにくい。因みに、容器２０における第二室２４は、吸引された空気が第二フイルター２２に到達するまでに十分予熱されるような長さに設定されている。
【００４３】
上述のような作業環境における空気の吸引は、予め定められた空気量が吸引されるよう実施する。そして、採取器２により採取された有機汚染物質を抽出して分析すると、吸引した所定量の空気中に含まれる有機汚染物質を定性的および定量的に評価することができる。また、この分析結果に基づいて、作業環境における作業者の有機汚染物質曝露状況を管理することができる。
【００４４】
採取器２により採取された有機汚染物質は、通常、溶媒を用いて抽出することができる。具体的には、採取器２から第一フイルター２１を取り外すとともに、容器２０から第二フイルター２２を取り出し、両フイルター２１，２２からソックスレー抽出法により有機汚染物質の抽出液を得る。ここで、第二フイルター２２は、従来の試料採取装置において用いられているポリウレタンフォームに比べて嵩が小さいため、ソックスレー抽出器に装着しやすく、また、ポリウレタンフォームの場合に比べて少量の有機溶媒により効率的にかつ短時間で有機汚染物質を抽出することができる。また、容器２０および集気具２９を溶媒で洗浄し、その際の洗浄液を確保する。そして、抽出液と洗浄液とを合わせ、これを適宜濃縮すると、採取した有機汚染物質の分析用試料が得られる。この分析用試料は、通常、ガスクロマトグラフ質量分析装置（ＧＣ／ＭＳ）を用いて分析することができる。
【００４５】
上述の抽出操作および洗浄操作において用いられる有機溶媒は、特に限定されるものではないが、通常、トルエンやヘキサンを用いるのが好ましい。
【００４６】
また、上述の抽出操作および分析操作において、第一フイルター２１および第二フイルター２２によりそれぞれ採取された有機汚染物質を別々に抽出しかつ別々に分析すれば、作業環境の空気中に含まれる粒子状態の有機汚染物質の分析結果とガス状態の有機汚染物質の分析結果とを別々に得ることができる。
【００４７】
使用後の採取装置１は、通常、採取器２を別の新しいものに交換すると、繰返し使用することができる。また、採取器２は、容器２０を洗浄した後、第一フイルター２１および第二フイルター２２を新たなものに交換すると、繰返し使用することができる。
【００４８】
以上のとおり、採取装置１を用いれば、従来の試料採取装置を用いる場合に比べ、作業環境の空気中に含まれる有機汚染物質の採取および抽出を容易化することができる。また、採取装置１は、採取器２を交換するだけで繰返し使用することができる。これらの結果、この採取装置１によれば、作業環境の空気中に含まれる有機汚染物質の採取および分析を頻繁に実施することができるため、作業環境における作業者の有機汚染物質曝露状況を細かく監視したり管理したりすることができる。
【００４９】
［他の実施の形態］
（１）上述の実施の形態では、第一フイルター２１として円形または角形のシート状ろ紙を用いたが、第一フイルター２１はこれに限定されない。例えば、第一フイルター２１は、円筒ろ紙であってもよいし、第一室２３内に充填された綿状の石英繊維やガラス繊維、あるいはフッ素樹脂繊維であってもよい。
【００５０】
（２）上述の実施の形態では、第二フイルター２２として円筒状のものを用いたが、第二フイルター２２が柱状や板状に形成されている場合も本発明を同様に実施することができる。
【実施例】
【００５１】
上述の実施の形態において説明した採取器２を用意した。この採取器２では、第一フイルター２１として市販のガラス繊維製の円形ろ紙（アドバンテック社の商品名「ＧＢ−１００Ｒ」）を用い、また、第二フイルター２２として出願人会社の「ダイオアナ（登録商標）」を用いた。
【００５２】
この採取器２の排出口２７にポリウレタンフォームを充填したカラムの一端を接続し、また、当該カラムの他端に上述の実施の形態において説明した吸引装置３を接続した。ポリウレタンフォームは、上述の「ダイオキシン類に係る大気環境調査マニュアル」において使用が指定されているものを用いた。このようにして構成された採取装置を用い、作業環境（廃棄物焼却施設の作業環境）の空気中に含まれる有機汚染物質（主に、ＰＣＤＤｓ、ＰＣＤＦｓおよびＣｏ−ＰＣＢｓ）を採取した。作業環境からの空気の吸引は、５０リットル／分で２４時間実施した。
【００５３】
空気の吸引後、採取器２から第一フイルター２１を取り外すとともに、第二フイルター２２を容器２０から取り出し、また、ポリウレタンフォームをカラムから取り出した。そして、各フイルター２１，２２およびポリウレタンフォームによりそれぞれ採取された有機汚染物質をトルエンを用いて別々にソックスレー抽出し、得られた抽出液を濃縮して分析用試料を得た。抽出用に用いたトルエン量は、第一フイルター２１、第二フイルター２２およびポリウレタンフォームについて、それぞれ０．２リットル、０．２リットルおよび２リットルであった。各分析用試料に含まれる有機汚染物質を高分解能ガスクロマトグラフ質量分析装置により分析した結果を表１に示す。なお、表１において、有機汚染物質は、ＩＵＰＡＣの基準に従って表示している。また、“ＮＤ”は検出限界未満を示し、括弧付の数値は検出限界以上、定量限界未満を示している。さらに、捕集率は、（第一フイルターによる採取量＋第二フイルターによる採取量）／（第一フイルターによる採取量＋第二フイルターによる採取量＋ポリウレタンフォームによる採取量）×１００の計算により求めたものである。
【００５４】
【表１】
2005265415.tif 000003
【００５５】
表１によると、ポリウレタンフォームから得られた分析用試料中には、実質的に有機汚染物質が含まれていないことがわかる。これによれば、作業環境の空気中に含まれる有機汚染物質は、採取器２により、実質的に漏れなく採取されていることになる。
【図面の簡単な説明】
【００５６】
【図１】本発明に係る有機汚染物質の採取器の一形態が採用された採取装置の一例の概略図。
【図２】前記採取器の縦断面図。
【符号の説明】
【００５７】
２  採取器
２０  容器
２１  第一フイルター
２２  第二フイルター
２６  流入口
２７  排出口
２８  電熱ヒーター
【図１】
2005265415.tif 000004
【図２】
2005265415.tif 000005